Podtech/llm-jp-corpus-v4-ja_patent huggingface dataset:
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
カメラヘッドからカメラケーブルを介して伝送される映像信号を映像信号処理する映像信号処理手段を有するカメラコントロールユニットに前記カメラヘッドが着脱可能に取り付けられたヘッド分離型カメラにおいて、
前記カメラヘッド、前記カメラケーブル、および前記カメラコントロールユニットは、互いに着脱可能であり、
前記カメラヘッドは、
複数の撮像素子と、
前記複数の撮像素子ごとのブラックバランスの調整値として、前記カメラヘッド別に設定されたブラックバランスの調整値を記憶する調整値記憶手段と、
前記ブラックバランスの調整値に基づいて、前記複数の撮像素子の各々から得られた各映像信号の黒レベルが略同じレベルになるように、前記各映像信号のブラックバランスを調整するブラックバランス調整手段と、
を備え、
前記ブラックバランス調整手段によってブラックバランスの調整のみを行った各映像信号が、前記カメラヘッドから前記カメラケーブルを介して前記カメラコントロールユニットへ伝送され、前記カメラコントロールユニットの映像信号処理手段で映像信号処理されることを特徴とするヘッド分離型カメラ。
【請求項２】
前記ブラックバランスの調整値は、
前記複数の撮像素子の一つである基準撮像素子の映像信号から得られたブラックバランスの基準調整値と、前記複数の撮像素子の各々と前記基準撮像素子との相対的なブラックバランスのずれを補正するための相対補正係数を含み、
前記ブラックバランス調整手段は、
前記基準調整値と前記相対補正係数に基づいて、前記各映像信号の黒レベルが略同じレベルになるように、前記各映像信号のブラックバランスを調整することを特徴とする請求項１に記載のヘッド分離型カメラ。
【請求項３】
前記カメラヘッドは、
前記映像信号をアナログデジタル変換するアナログデジタル変換手段を備え、
前記カメラヘッドから前記カメラコントロールユニットへ前記映像信号がデジタル伝送されることを特徴とする請求項１または請求項２に記載のヘッド分離型カメラ。
【請求項４】
カメラヘッドと、前記カメラヘッドにカメラケーブルを介して接続されるカメラコントロールユニットを備えたヘッド分離型カメラ用のカメラヘッドであって、
前記カメラヘッド、前記カメラケーブル、および前記カメラコントロールユニットは、互いに着脱可能であり、
前記カメラヘッドは、
複数の撮像素子と、
前記複数の撮像素子ごとのブラックバランスの調整値として、前記カメラヘッド別に設定されたブラックバランスの調整値を記憶する調整値記憶手段と、
前記ブラックバランスの調整値に基づいて、前記複数の撮像素子の各々から得られた各映像信号の黒レベルが略同じレベルになるように、前記各映像信号のブラックバランスを調整するブラックバランス調整手段と、
を備え、
前記ブラックバランス調整手段によってブラックバランスの調整のみを行った各映像信号が、映像信号処理手段を有するカメラコントロールユニットへカメラケーブルを介して伝送され、前記映像信号処理手段で映像信号処理されることを特徴とするカメラヘッド。
【手続補正２】
【補正対象書類名】明細書
【補正対象項目名】０００６
【補正方法】変更
【補正の内容】
【０００６】
本発明のヘッド分離型カメラは、カメラヘッドからカメラケーブルを介して伝送される映像信号を映像信号処理する映像信号処理手段を有するカメラコントロールユニットに前記カメラヘッドが着脱可能に取り付けられたヘッド分離型カメラにおいて、前記カメラヘッド、前記カメラケーブル、および前記カメラコントロールユニットは、互いに着脱可能であり、前記カメラヘッドは、複数の撮像素子と、前記複数の撮像素子ごとのブラックバランスの調整値として、前記カメラヘッド別に設定されたブラックバランスの調整値を記憶する調整値記憶手段と、前記ブラックバランスの調整値に基づいて、前記複数の撮像素子の各々から得られた各映像信号の黒レベルが略同じレベルになるように、前記各映像信号のブラックバランスを調整するブラックバランス調整手段と、を備え、前記ブラックバランス調整手段によってブラックバランスの調整のみを行った各映像信号が、前記カメラヘッドから前記カメラケーブルを介して前記カメラコントロールユニットへ伝送され、前記カメラコントロールユニットの映像信号処理手段で映像信号処理される構成を有している。
【手続補正３】
【補正対象書類名】明細書
【補正対象項目名】００１２
【補正方法】変更
【補正の内容】
【００１２】
本発明のカメラヘッドは、カメラヘッドと、前記カメラヘッドにカメラケーブルを介して接続されるカメラコントロールユニットを備えたヘッド分離型カメラ用のカメラヘッドであって、前記カメラヘッド、前記カメラケーブル、および前記カメラコントロールユニットは、互いに着脱可能であり、前記カメラヘッドは、複数の撮像素子と、前記複数の撮像素子ごとのブラックバランスの調整値として、前記カメラヘッド別に設定されたブラックバランスの調整値を記憶する調整値記憶手段と、前記ブラックバランスの調整値に基づいて、前記複数の撮像素子の各々から得られた各映像信号の黒レベルが略同じレベルになるように、前記各映像信号のブラックバランスを調整するブラックバランス調整手段と、を備え、前記ブラックバランス調整手段によってブラックバランスの調整のみを行った各映像信号が、映像信号処理手段を有するカメラコントロールユニットへカメラケーブルを介して伝送され、前記映像信号処理手段で映像信号処理される構成を有している。
【手続補正書】
【提出日】平成21年10月20日(2009.10.20)
【手続補正１】
【補正対象書類名】明細書
【補正対象項目名】００１５
【補正方法】変更
【補正の内容】
【００１５】
コバルト結合材相はＷで高合金化される。結合材相中のＷ含有量は、ＣＷ比＝ＭＳ／（ｗｔ％Ｃｏ・０．０１６１）として表すことができ、この式において、ＭＳは超硬合金ボディーの測定飽和磁場でありｈＡｍ２／ｋｇで示し、且つｗｔ％Ｃｏは超硬合金中のＣｏの重量パーセントである。ＣＷ値は、Ｃｏ結合材相中のＷ含有量の関数である。低ＣＷ値は、結合材相中の高Ｗ含有量に相当する。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
複数の装置側端子を有する印刷装置に脱着可能に装着される印刷材収容体であって、
第１のデバイスと、
第２のデバイスと、
複数の第１の端子と、少なくとも１つの第２の端子と、少なくとも１つの第３の端子を含む端子群と、
を備え、
前記複数の第１の端子は、前記第１のデバイスに接続されると共に、前記複数の装置側端子のうちの対応する端子と接触する第１の接触部をそれぞれ含み、
前記少なくとも１つの第２の端子は、前記第２のデバイスに接続されると共に、前記複数の装置側端子のうちの対応する端子と接触する第２の接触部をそれぞれ含み、
前記少なくとも１つの第３の端子は、前記少なくとも１つの第２の端子と前記少なくとも１つの第３の端子との短絡を検出するための端子であり、前記複数の装置側端子のうちの対応する端子と接触する第３の接触部をそれぞれ含み、
前記少なくとも１つの第２の接触部と、前記複数の第１の接触部と、前記少なくとも１つの第３の接触部は、１または複数の列を形成するように配置され、
前記少なくとも１つの第２の接触部は、前記１または複数の列のうちの一の列の端に配置されている、印刷材収容体。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
皮下に埋め込んで使用される流体輸送装置であって、
外装ケースと、
前記外装ケースの外部に露出して外部から流体を注入し得る注入開口部を備えたポートと、
前記ポートから注入される流体を貯蔵するリザーバーと、
前記リザーバーに連通して流体を導通させる流体導通部と、
前記流体導通部を介して前記流体を外部に供給するマイクロポンプと、
前記マイクロポンプに動力を供給する電源と、を備え、
前記外装ケースは、皮下に埋め込まれた際に皮膚側に対応させる皮膚側対応面を有し、
前記ポートは、前記皮膚側対応面に配設されていることを特徴とする流体輸送装置。
【請求項２】
請求項１に記載の流体輸送装置において、
前記リザーバーと前記マイクロポンプとは、平面視で互いに離れて配置されており、
前記ポートは、平面視で前記リザーバーと前記マイクロポンプの間に配置されていることを特徴とする流体輸送装置。
【請求項３】
請求項１または請求項２に記載の流体輸送装置において、
前記ポートは、前記外装ケースから突出形成された突出部を備え、この突出部に前記注入開口部が形成されていることを特徴とする流体輸送装置。
【請求項４】
請求項１から請求項３のいずれか１項に記載の流体輸送装置において、
前記電池は、平面視で前記リザーバーと重なり、断面視において前記リザーバーを挟んで前記ポートとは反対側に配置されていることを特徴とする流体輸送装置。
【請求項５】
請求項１から請求項４のいずれか１項に記載の流体輸送装置において、
前記ポートは、平面視で前記電池と重ならない位置に配置されていることを特徴とする流体輸送装置。
【請求項６】
請求項１から請求項５のいずれか１項に記載の流体輸送装置において、
前記マイクロポンプの動作を制御するＩＣと、前記ＩＣを実装する回路基板と、前記ＩＣに前記マイクロポンプの動作を制御する制御プログラムを供給し得るように前記外装ケースに露出配置された信号供給ポートとを、さらに備えたことを特徴とする流体輸送装置。
【請求項７】
請求項１から請求項６のいずれか１項に記載の流体輸送装置において、
前記外装ケースには、設置対象に取り付けるための取付部が形成されていることを特徴とする流体輸送装置。
【請求項８】
請求項１に記載の流体輸送装置において、
前記外装ケースは、前記皮膚側対応面から前記裏面に向かう外壁の少なくとも一部に傾斜面を備えることを特徴とする流体輸送装置。
【請求項９】
請求項８に記載の流体輸送装置において、
前記外装ケースは、前記皮膚側対応面から前記裏面に向かう外壁に把持用垂直面を備えることを特徴とする流体輸送装置。
【請求項１０】
請求項８または請求項９に記載の流体輸送装置において、
前記傾斜面は、前記外装ケースにおける幅広方向の一方端での幅狭方向に形成されている幅狭側外壁、および前記幅広方向の他方端での幅狭方向に形成されている幅狭側外壁を、外装ケースにおける前記裏面から前記皮膚側対応面に向かうに従って前記幅広方向での幅が狭くなるように傾斜させて形成されていることを特徴とする流体輸送装置。
【請求項１１】
請求項８から請求項１０のいずれか１項に記載の流体輸送装置において、
前記傾斜面は、前記外装ケースにおける幅狭方向の一方端での幅広方向に形成されている幅広側外壁、および前記幅狭方向の他方端での幅広方向に形成されている幅広側外壁を、外装ケースにおける前記裏面から前記皮膚側対応面に向かうに従って前記幅狭方向での幅が狭くなるように傾斜させて形成されていることを特徴とする流体輸送装置。
【請求項１２】
請求項１に記載の流体輸送装置において、
前記外装ケースは、幅広方向に沿って凸状面に形成された前記皮膚側対応面と、前記幅広方向に沿って凹状面に形成された前記皮膚側対応面の裏面とのうち、少なくとも一方を備えることを特徴とする流体輸送装置。
【請求項１３】
請求項１または請求項１２に記載の流体輸送装置において、
前記外装ケースは、幅狭方向に沿って凸状面に形成された前記皮膚側対応面と、前記幅狭方向に沿って凹状面に形成された前記皮膚側対応面の裏面とのうち、少なくとも一方を備えることを特徴とする流体輸送装置。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
開口を有する外箱と、
前記外箱内に収容された水槽と、
前記水槽内で回転可能に支持され、前記外箱の開口と対向して開口するドラムと、
前記ドラムを回転駆動するための駆動手段と、
前記外箱の開口を覆うように前記外箱に取付けられた扉と、
前記扉を閉じた状態でロックするためのロック手段と、
前記扉のロックおよび前記ドラムの回転を制御するための運転制御手段と、
電源から前記運転制御手段への電力の供給を制御するための供給制御手段とを含み、
前記運転制御手段は、
前記扉をロックするように前記ロック手段を制御するためのロック制御手段と、
前記ドラムの回転速度の推移を示す推移情報を記憶するための記憶手段と、
前記推移情報に従って前記ドラムの回転を制御するための回転制御手段と、
前記推移情報に従う前記ドラムの回転の制御が終了した後、前記扉がロックされた状態で前記電力の供給を遮断するように前記供給制御手段を制御するための遮断制御手段と、
前記供給制御手段が前記電力の供給を開始した後、前記扉のロックを解除するように前記ロック手段を制御するための解除制御手段とを含む、洗濯機。
【請求項２】
前記供給制御手段は、
電源から前記運転制御手段への電力の供給を開始するための開始手段と、
前記開始手段が前記電力の供給を開始した後、前記遮断制御手段の制御に応じて前記電力の供給を遮断するための遮断手段とを含む、請求項１に記載の洗濯機。
【請求項３】
前記洗濯機は、情報を出力するための情報出力手段をさらに含み、
前記運転制御手段は、
前記推移情報に従う前記ドラムの回転の制御が終了すると、前記扉のロックの解除を許可するか否かを判断するための解除判断手段と、
前記扉のロックの解除を許可すると前記解除判断手段が判断した場合、前記情報を出力するように前記情報出力手段を制御するための出力制御手段とをさらに含む、請求項１に記載の洗濯機。
【請求項４】
前記洗濯機は、前記水槽の内部における物理量を特定するための特定手段をさらに含み、
前記解除制御手段は、前記供給制御手段が前記電力の供給を開始した後、前記物理量が要件を満たす場合に、前記扉のロックを解除するように前記ロック手段を制御するための手段を含む、請求項１に記載の洗濯機。
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
コンテンツ配信トランザクションを定義するメッセージを相関させる方法であって、該方法は、コンピュータに実装された方法であり、
該方法は、
一意のトランザクション識別子およびメッセージインデックス値によって定義される一意のメッセージ識別子を、該コンテンツ配信トランザクションを開始するメッセージに関連付けることと、
該コンテンツ配信トランザクションの次の応答性メッセージを、該一意のトランザクション識別子および他のメッセージインデックス値によって定義される一意のメッセージ識別子に関連付けることと
を包含し、該他のメッセージインデックス値は、該コンテンツ配信トランザクション内の複数の次のメッセージに対応する、方法。
【請求項２】
前記関連付けることは、トランザクションタイプを用いて前記一意のメッセージ識別子を定義することをさらに包含する、請求項１に記載の方法。
【請求項３】
前記コンテンツ配信トランザクションを開始する前記メッセージに対する前記メッセージインデックス値は、トランザクションタイプを識別する、請求項１に記載の方法。
【請求項４】
メッセージ識別子フィールドにおいて前記トランザクション識別子の後にメッセージインデックスを追加することをさらに包含する、請求項１〜３のいずれか一項に記載の方法。
【請求項５】
前記一意のトランザクション識別子、前記メッセージ識別子、前記一意のメッセージ識別子のうちの１つ以上は、グローバルに一意であるか、または、キャリアドメイン、デバイス、サーバ、サービスおよび／またはチャネルのうちのいずれかを含むコンテクスト内で一意である、請求項１〜４のいずれか一項に記載の方法。
【請求項６】
コンテンツ配信トランザクションを定義する応答性メッセージを相関させる、無線ネットワーク内のネットワーク要素であって、
該ネットワーク要素は、請求項１〜５のいずれか一項に記載の方法のステップを該ネットワーク要素に実行させるように適合されたプロセッサ（６１２）を備える、ネットワーク要素。
【請求項７】
前記ネットワーク要素は、配信クライアントまたは配信サーバである、請求項６に記載のネットワーク要素。
【請求項８】
コンピュータデバイスのプロセッサによって実行可能なプログラム命令を格納するコンピュータ読み取り可能な媒体であって、該プログラム命令は、請求項１〜５のいずれか一項に記載の方法のステップの全てを該コンピュータデバイスに実行させる、コンピュータ読み取り可能な媒体。
【請求項９】
コンテンツ配信トランザクションを定義する応答性メッセージを相関させるシステムであって、
該システムは、
コンテンツ配信クライアント（７６０）と、
コンテンツ配信サーバ（２０）と
を備え、該コンテンツ配信クライアントおよび該コンテンツ配信サーバは、請求項１〜５のいずれか一項に記載の方法を実行するように相互に通信する、システム。
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
ケーシング内に密に内装されて、回転自在なシリンダに設けられる、シリンダの軸心に直交方向のピストン穴及びピストン穴に往復自由にゆるく嵌められた、ピストン穴長さより短寸のピストンと、偏心軸で構成し、シリンダの回転に従い受容体積室を形成手段する、
また、請求項２で吸い込み口又は吐出口のいずれかに、シリンダとの歪断噛み合い面に対して、開口又は閉口する、切れ刃を設けた、惣菜等の定量分割又は形成機。
【請求項２】
請求項１記載で、シリンダの回転に従い受容体積室を形成手段することと、シリンダのピストン受け入れ部の歪断噛合い部に、切れ刃を設けた惣菜等の定量分割又は形成機。
【請求項３】
請求項１記載で、シリンダの回転に従い、受容体積室を形成手段することと、偏心軸又はカム軸等の軸心を、ケーシング中心から外方向へ、任意の位置に自在調整手段する、量目調整機構を設けた、惣菜等の定量分割又は形成機。
【請求項４】
請求項１，２，又は３項のいずれかの一項で、ホッパーの形状を、底の面積が大逆テーパー形状の、惣菜等の定量分割又は形成機。
【手続補正書】
【提出日】平成21年8月18日(2009.8.18)
【手続補正１】
【補正対象書類名】特許請求の範囲
【補正対象項目名】請求項６
【補正方法】変更
【補正の内容】
【請求項６】
該操作部材は、棒状に形成されており、該把手と並行に配置されている請求項４または請求項５に記載の折り畳み椅子。
【手続補正書】
【提出日】平成21年1月22日(2009.1.22)
【手続補正１】
【補正対象書類名】特許請求の範囲
【補正対象項目名】請求項１
【補正方法】変更
【補正の内容】
【請求項１】
空気流入層と空気流出層とが積層されてなるエアフィルタ材料であって、平均流量細孔径が２５〜３５μｍ、最小細孔径が２．８〜３．４μｍ及び最大細孔径が７３μｍ以下であり、且つ空気流入層が繊維目付量５５〜１００ｇ／ｍ２のニードルパンチ不織布層であり、空気流出層が繊維目付量２０〜６０ｇ／ｍ２、平均流量細孔径５０〜９０μｍ、最小細孔径３．０〜１０．０μｍ及び最大細孔径１８０μｍ以下のスパンレース不織布層を少なくとも２層以上積層した積層スパンレース不織布であるエアフィルタ材料。
【手続補正２】
【補正対象書類名】明細書
【補正対象項目名】００１１
【補正方法】変更
【補正の内容】
【００１１】
即ち、空気流入層と空気流出層とが積層されてなるエアフィルタ材料であって、平均流量細孔径が２５〜３５μｍ、最小細孔径が２．８〜３．４μｍ及び最大細孔径が７３μｍ以下であり、且つ空気流入層が繊維目付量５５〜１００ｇ／ｍ２のニードルパンチ不織布層であり、空気流出層が繊維目付量２０〜６０ｇ／ｍ２、平均流量細孔径５０〜９０μｍ、最小細孔径３．０〜１０．０μｍ及び最大細孔径１８０μｍ以下のスパンレース不織布層を少なくとも２層以上積層した積層スパンレース不織布であるエアフィルタ材料を提供する。
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
キーフレームを送信することによって特殊再生を実現する映像配信装置において、
コンテンツファイルに含まれるキーフレームの番号とファイル先頭からのオフセットとを含むキーフレーム情報を格納する記憶装置と、予め定められた周期で配信を実行する配信制御部とを備え、
前記配信制御部は、特殊再生を実行するとき、前記周期毎に、前記キーフレーム情報を参照し、前記コンテンツファイルに含まれるキーフレームのなかから配信時刻に最も近い前記オフセットを持つキーフレームを送信することを特徴とする映像配信装置。
【請求項２】
請求項１記載の映像配信装置であって、
前記配信制御部は、前記キーフレーム情報を参照し、前記配信時刻の前のキーフレームの第１の配信時刻と前記配信時刻との差と、前記配信時刻の後のキーフレームの第２の配信時刻と前記配信時刻との差とを比較することにより、前記配信時刻に最も近い配信時刻を持つキーフレームを選択することを特徴とする映像配信装置。
【請求項３】
請求項１または請求項２に記載の映像配信装置であって、
前記周期を制御することにより、キーフレームの配信フレームレートを制御することを特徴とする映像配信装置。
【請求項４】
請求項１ないし請求項３のいずれか一つに記載の映像配信装置であって、
最後に送信したキーフレームのサイズを次の配信時刻から前記最後に送信したキーフレームの送信時刻を引いた差で除した値と、帯域幅とを比較し、前記帯域幅を超えるキーフレームの送信をスキップすることにより、キーフレーム送信の帯域制限を行うことを特徴とする映像配信装置。
【請求項５】
請求項４記載の映像配信装置の通信を制御する通信制御装置であって、
映像受信装置からの要求にしたがってネットワークの通信帯域幅を確保させ、確保させた通信帯域幅および周期配信時刻を配信指示情報として前記映像配信装置に送信することにより、前記映像配信装置の配信帯域および配信フレームレートを制御することを特徴とする通信制御装置。
【請求項６】
ネットワークから受信した符号化映像データを復号化して表示させる映像受信装置であって、
特殊再生時に、完全なキーフレームを受信したとき、前記キーフレームに含まれる時刻情報を無視して復号化した画像を表示させ、この画像の表示を次の完全なキーフレーム受信まで継続させることを特徴とする映像受信装置。
【請求項７】
コンテンツファイルに含まれるキーフレームについて、キーフレームの番号、ファイル先頭からのオフセット、およびキーフレームのサイズからなるキーフレーム情報を格納し、
前記キーフレーム情報を用いて、前記コンテンツファイルに含まれるキーフレームのなかから周期配信時刻に最も近い配信時刻を持つキーフレームを選択し、
選択したキーフレームを周期的に送信することを特徴とするキーフレーム配信方法。
【請求項８】
請求項７に記載のキーフレーム配信方法であって、
前記周期を制御することにより、キーフレームの配信フレームレートを制御することを特徴とするキーフレーム配信方法。
【請求項９】
請求項７または請求項８に記載のキーフレーム配信方法であって、
最後に送信したキーフレームのサイズを次の配信時刻から前記最後に送信したキーフレームの送信時刻を引いた差で除し、
除した値と、帯域幅とを比較し、
前記帯域幅を超えるキーフレームの送信をスキップすることを特徴とするキーフレーム配信方法。
【手続補正書】
【提出日】平成21年6月18日(2009.6.18)
【手続補正１】
【補正対象書類名】特許請求の範囲
【補正対象項目名】請求項６
【補正方法】変更
【補正の内容】
【請求項６】
前記カバー材表面の高分子化合物膜が、
（a）カバー材表面でプラズマ重合性モノマーをプラズマ重合して形成するプラズマ重合膜、
（b）カバー材表面で重合性モノマーを重合して形成する表面重合膜、または
（c）カバー材表面に高分子化合物を結合して形成する高分子結合膜
である、請求項２〜５のいずれかに記載の方法。
【手続補正２】
【補正対象書類名】明細書
【補正対象項目名】００１１
【補正方法】変更
【補正の内容】
【００１１】
〔１〕  表面に溝状の流路が形成された基材の表面を、該流路が露出するマスクで遮蔽し、露出した基材表面に、高分子化合物膜を形成する工程、および
前記基材の流路が形成されている側の表面に、カバー材を貼り合わせる工程
を含む、マイクロ流路チップの製造方法。
〔２〕  前記基材を貼り合わせる側のカバー材表面に、高分子化合物膜を形成する工程を含む、〔１〕に記載の方法。
〔３〕  前記基材を貼り合わせる側のカバー材表面に、高分子化合物膜を形成するに際し、
前記カバー材の表面を、前記基材のマスクの露出部分の一部又は全部と露出部分が同一形状のマスクで遮蔽し、露出したカバー材表面に、高分子化合物膜を形成する、〔２〕に記載のマイクロ流路チップの製造方法。
〔４〕  前記基材表面の高分子化合物膜が、
(a)基材表面でプラズマ重合性モノマーをプラズマ重合して形成するプラズマ重合膜、
(b)基材表面で重合性モノマーを重合して形成する表面重合膜、または
(c)基材表面に高分子化合物を結合して形成する高分子結合膜
である、〔１〕〜〔３〕のいずれかに記載の方法。
〔５〕  前記基材表面の高分子化合物膜が、プラズマ重合膜である、〔１〕〜〔４〕のいずれかに記載の方法。
〔６〕  前記カバー材表面の高分子化合物膜が、
（a）カバー材表面でプラズマ重合性モノマーをプラズマ重合して形成するプラズマ重合膜、
（b）カバー材表面で重合性モノマーを重合して形成する表面重合膜、または
（c）カバー材表面に高分子化合物を結合して形成する高分子結合膜
である、〔２〕〜〔５〕のいずれかに記載の方法。
〔７〕  前記カバー材表面の高分子化合物膜が、プラズマ重合膜である、〔２〕〜〔６〕のいずれかに記載の方法。
〔８〕  前記基材の表面に形成する高分子化合物膜と、前記カバー材の表面に形成する高分子化合物膜とが、同一の高分子化合物膜である、〔２〕〜〔７〕のいずれかに記載の方法。
〔９〕  前記貼り合わせを、圧着または熱圧着により行う、〔１〕〜〔８〕のいずれかに記載の方法。
〔１０〕  前記基材および前記カバー材の少なくとも一方が、プラスチックである〔１〕〜〔９〕のいずれかに記載の方法。
〔１１〕  前記基材およびカバー材が、プラスチックである、〔１〕〜〔１０〕のいずれかに記載の方法。
〔１２〕  前記基材およびカバー材のいずれもが、熱可塑性樹脂であり、
前記貼り合わせる工程が、基材とカバー材とを、熱圧着により貼り付ける方法である、〔１１〕に記載の方法。
〔１３〕  前記熱圧着を２００?以下の温度で行う、〔１２〕に記載の方法。
〔１４〕  前記基材およびカバー材のいずれか一方がケイ素樹脂であり、残りの一方がガラスまたはプラスチックであり、
前記貼り合わせる工程が、基材とカバー材とを、圧着により貼り付ける方法である、〔１０〕に記載の方法。
〔１５〕  前記マスクが、フォトレジストマスクまたは金属マスクである、〔１〕〜〔１４〕のいずれかに記載の方法。
〔１６〕  表面に流路が形成された基材の該流路側の表面と、カバー材とが貼り合わされてなり、前記基材表面のうち、流路の一部又は全部の表面に高分子化合物膜が被覆されている、マイクロ流路チップ。
〔１７〕  前記カバー材の基材側の表面に、高分子化合物膜が被覆されている、〔１６〕に記載のマイクロ流路チップ。
〔１８〕  前記カバー材の基材側の表面の、基材の高分子化合物膜が形成されている領域と対向する領域に、前記基材の高分子化合物膜が形成されている部分の一部又は全部と同一形状の高分子化合物膜が被覆されている、〔１７〕に記載のマイクロ流路チップ。
〔１９〕  次の工程を含む生体分子の分離方法：
ａ）表面に流路が形成された基材の該流路側の表面と、カバー材とが貼り合わされてなり、前記基材表面のうち、流路の表面に高分子化合物膜が被覆されている、マイクロ流路チップに、分析すべき生体分子を加える工程、および
ｂ）分離媒体に分離圧を加える工程。
〔２０〕  前記分離圧が電気泳動によるものである、〔１９〕に記載の方法。
〔２１〕  前記電気泳動が、キャピラリー電気泳動である、〔２０〕に記載の方法。
〔２２〕  前記生体分子が、蛋白質である、〔１９〕〜〔２１〕のいずれかに記載の方法。
〔２３〕  次の要素で構成される電気泳動分析装置：
ａ）表面に流路が形成された基材の該流路側の表面と、カバー材とが貼り合わされてなり、前記基材表面のうち、流路の表面に高分子化合物膜が被覆されている、マイクロ流路チップ、
ｂ）該マイクロ流路チップを保持するための支持体、および
ｃ）支持体に保持されたマイクロ流路チップに電圧を印加するための電極。
【手続補正３】
【補正対象書類名】明細書
【補正対象項目名】００２３
【補正方法】変更
【補正の内容】
【００２３】
また、前記カバー材表面に形成させる高分子化合物膜は、
(a)カバー材表面でプラズマ重合性モノマーをプラズマ重合して形成するプラズマ重合膜、
(b)カバー材表面で重合性モノマーを重合して形成する表面重合膜、または
(c)カバー材表面に高分子化合物を結合して形成する高分子結合膜
のいずれかであることが好ましい。
これらのうちでは、プラズマ重合膜が好ましい。プラズマ重合膜であると、より均一で、安定性に優れた膜を形成できる。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
発射手段によって打ち込まれた遊技球が流下可能な遊技領域を有する遊技盤を備えた遊技機において、
前記遊技盤は、その遊技領域の少なくとも一部が入力された光を内部で反射させて表示面を発光させる導光板により形成されており、
さらに、前記導光板の内部に光を出力する光出力手段と、
前記導光板の表示面の発光に変化を与えるように前記光出力手段からの光出力を調整する導光板表示制御手段と、
を備えたことを特徴とする遊技機。
【請求項２】
請求項１に記載の遊技機において、
前記導光板は、表示面と対向する非表示面から厚み方向に所定の絵柄の凹凸加工が施され、当該箇所を透過する光を集光して表示面に向けて出力するよう構成された
ことを特徴とする遊技機。
【請求項３】
請求項１または２に記載の遊技機において、
前記導光板の非表示面に光を反射させる反射手段を備えた
ことを特徴とする遊技機。
【請求項４】
請求項１から３のいずれか一つに記載の遊技機において、
さらに、表面に着色、模様、またはこれらの組み合わせのいずれかが施され、前記導光板の非表示面に密着する着色部材を備える
ことを特徴とする遊技機。
【請求項５】
発射手段によって打ち込まれた遊技球が流下可能な遊技領域を有する遊技盤を備えた遊技機において、
前記遊技盤は、その遊技領域の少なくとも一部が入力された光を内部で反射させて表示面を発光させる複数枚の導光板を積層して形成されており、
さらに、前記複数枚の導光板の各層ごとに光を出力する複数個の光出力手段と、
前記導光板の表示面の発光に変化を与えるように前記複数個の光出力手段からの光出力を調整する導光板表示制御手段と、
を備えたことを特徴とする遊技機。
【手続補正書】
【提出日】平成20年12月24日(2008.12.24)
【手続補正１】
【補正対象書類名】明細書
【補正対象項目名】０００６
【補正方法】変更
【補正の内容】
【０００６】
したがって、特に小スケールから、発酵性の良い酒母をより簡便に得ることができ、かつ、当該酒母を用いて得られる発酵飲料の香味特性も良好な酒母の製造方法の開発は急務である。
【特許文献１】特許2537361
【特許文献２】特公平5-44268
【手続補正２】
【補正対象書類名】明細書
【補正対象項目名】００４５
【補正方法】変更
【補正の内容】
【００４５】
すなわち、酸素供給停止後においても、窒素を供給するなど、溶存炭酸ガス濃度を低レベルに制御することで、実生産を想定したスケールにおいても本発明が有効に実施できることが明らかとなった。
【手続補正３】
【補正対象書類名】明細書
【補正対象項目名】００４６
【補正方法】変更
【補正の内容】
【００４６】
【表４】
2006212024.tif 000001
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
外側球形表面と、
上記外側球形表面上にパターン状に配置される複数の表面テクスチャとを有し、
上記パターンは、上記外側球形表面の少なくとも一部の上のＬ−系（Ｌｙｎｄｅｎｍａｙｅｒ  Ｓｙｓｔｅｍ）生成パターンを含み、上記外側球形表面の上記一部はユークリッド幾何により規定され、上記Ｌ−系生成パターンは、Ｓｉｅｒｐｉｎｓｋｉ矢尻、Ｓｉｅｒｐｉｎｓｋｉカーペット、Ｓｉｅｒｐｉｎｓｋｉ曲線、Ｓｉｅｒｐｉｎｓｋｉふるい、ボックスフラクタル、Ｃｏｎｔｏｒ  Ｄｕｓｔフラクタル、およびＣｏｔｏｒ  Ｓｑｕａｒｅフラクタルからなるグループから選択されたフラクタルの少なくとも一部を有するものであることを特徴とするゴルフボール。
【請求項２】
サブパターンをさらに含み、上記サブパターンは上記Ｌ−系生成パターンのセグメントである請求項１記載のゴルフボール。
【請求項３】
サブパターンをさらに含み、上記サブパターンは、他のＬ−系生成パターンである請求項１記載のゴルフボール。
【請求項４】
ユークリッド幾何で定義される複数の部分と、
上記ユークリッド幾何で定義される部分のうちの少なくとも１つにマッピングされるＬ−系生成パターンの少なくとも一部とを有し、
上記ユークリッド幾何で定義される複数の部分は多面体であることを特徴とするゴルフボールのディンプルパターン。
【請求項５】
上記多面体は、２０面体、８面体および１２面体からなるグループから選択される請求項４記載のディンプルパターン。
【請求項６】
上記Ｌ−系生成パターンはフラクタルの少なくとも一部を含み、上記フラクタルはＳｉｅｒｐｉｎｓｋｉ矢尻、Ｓｉｅｒｐｉｎｓｋｉカーペット、Ｓｉｅｒｐｉｎｓｋｉ曲線、Ｓｉｅｒｐｉｎｓｋｉふるい、ボックスフラクタル、Ｃｏｎｔｏｒ  Ｄｕｓｔフラクタル、およびＣｏｔｏｒ  Ｓｑｕａｒｅフラクタルからなるグループから選択される請求項４記載のディンプルパターン。
【請求項７】
ゴルフボールの外側表面に表面テクスチャを配置する方法であって、
当該外側表面を複数のユークリッド幾何形状に分割するステップと、
第１の組の表面テクスチャ配置位置を、Ｌ−系生成パターンの少なくとも１つのセグメントを用いて上記ユークリッド幾何形状の少なくとも１つにマッピングするステップと、
上記Ｌ−系生成パターンにしたがって上記外側表面に表面テクスチャをパックするステップと、
表面テクスチャにより被覆されていない領域に、第２の組の表面テクスチャ配置位置を第２のＬ−系生成パターンの少なくとも１つのセグメントを用いて上記領域にマッピングさせて充満させるステップとを有し、上記第２のＬ−系生成パターンは最初のＬ−系パターンと同じまたは異なるものであることを特徴とする方法。
【請求項８】
上記Ｌ−系生成パターンは上記表面テクスチャのテンプレートである請求項７記載の方法。
【請求項９】
ゴルフボールの外側表面に表面テクスチャを配置する方法であって、
当該外側表面を複数のユークリッド幾何形状に分割するステップと、
第１の組の表面テクスチャ配置位置を、Ｌ−系生成パターンの少なくとも１つのセグメントを用いて上記ユークリッド幾何形状の少なくとも１つにマッピングするステップと、
上記Ｌ−系生成パターンにしたがって上記外側表面に表面テクスチャをパックするステップと、
上記Ｌ−系生成パターンにそってランダムな間隔で表面テクスチャを配置するステップと、
上記表面テクスチャに荷量を割り当てるステップと、
グラディエント準拠の解法を決定するステップと、
上記グラディエント準拠の解法に基づいて上記表面テクスチャを再配置するステップとを有することを特徴とする方法。
【請求項１０】
ゴルフボールの外側表面に表面テクスチャを配置する方法であって、
当該外側表面を複数のユークリッド幾何形状に分割するステップと、
第１の組の表面テクスチャ配置位置を、Ｌ−系生成パターンの少なくとも１つのセグメントを用いて上記ユークリッド幾何形状の少なくとも１つにマッピングするステップと、
上記Ｌ−系生成パターンにしたがって上記外側表面に表面テクスチャをパックするステップと、
上記Ｌ−系生成パターンによって規定されるランダムな位置に表面テクスチャを配置するステップと、
上記表面テクスチャに荷量を割り当てるステップと、
上記テクスチャの最小ポテンシャルエネルギ状態を計算するステップと、
上記再送ポテンシャルエネルギ状態に基づいて上記表面テクスチャを再配置するステップとを有することを特徴とする方法。
【手続補正書】
【提出日】平成21年6月29日(2009.6.29)
【手続補正１】
【補正対象書類名】明細書
【補正対象項目名】００１６
【補正方法】変更
【補正の内容】
【００１６】
水流交絡法は、ウェブの加工方法の１つであるため、加工を行う前に、フリース形成工程において繊維の集積層であるフリース（ウェブ）を形成する必要がある。ウェブの形成法としては、カード法、エアレイ法の乾式法の他、メルトブロー法、スパンボンド法、湿式抄造法などが挙げられる。
【手続補正２】
【補正対象書類名】明細書
【補正対象項目名】００２１
【補正方法】変更
【補正の内容】
【００２１】
半田ペーストは、ハンダ材料を糊状にしたものであり、各種の組成のものが知られている。本発明のクリーニングシートが対象とする半田ペーストの種類は、特に制限されないが、鉛フリー半田ペーストが好ましい。鉛フリー半田の合金組成の一例としては、Ｓｎ−Ｉｎ系、Ｓｎ−Ｂｉ系、Ｉｎ−Ａｇ系、Ｉｎ−Ｂｉ系、Ｓｎ−Ｚｎ系、Ｓｎ−Ａｇ系、Ｓｎ−Ｃｕ系、Ｓｎ−Ｓｂ系、Ｓｎ−Ａｕ系、Ｓｎ−Ｂｉ−Ａｇ−Ｃｕ系、Ｓｎ−Ｇｅ系、Ｓｎ−Ｂｉ−Ｃｕ系、Ｓｎ−Ｃｕ−Ｓｂ−Ａｇ系、Ｓｎ−Ａｇ−Ｚｎ系、Ｓｎ−Ｃｕ−Ａｇ系、Ｓｎ−Ｂｉ−Ｓｂ系、Ｓｎ−Ｂｉ−Ｓｂ−Ｚｎ系、Ｓｎ−Ｂｉ−Ｃｕ−Ｚｎ系、Ｓｎ−Ａｇ−Ｓｂ系、Ｓｎ−Ａｇ−Ｓｂ−Ｚｎ系、Ｓｎ−Ａｇ−Ｃｕ−Ｚｎ系、Ｓｎ−Ｚｎ−Ｂｉ系が挙げられる。
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
上面を有する基板と、
前記上面に回転可能に接合され、加熱されることに反応して屈曲するように構成されたバイモルフ部を有する、１つまたは複数の棒材と、
前記上面に回転可能に接合され、前記１つまたは複数の棒材に実質的に不可動に接合されたプレートとを含み、
前記１つ又は複数のバイモルフ部が加熱されることに反応して、前記プレートが前記上面からさらに遠ざかるように、前記１つまたは複数の棒材およびプレートが構成される装置。
【請求項２】
各棒材の一端が、前記基板に接触する第１のタイプのヒンジに接続され、前記プレートが、前記基板に接触する第２のタイプのヒンジに接続される、請求項１に記載の装置。
【請求項３】
前記第１のタイプのヒンジが、前記第２のタイプのヒンジとは異なる軸を中心に回転する、請求項２に記載の装置。
【請求項４】
前記基板上に配置され前記プレートに面する導電性プレートをさらに含み、これら２つのプレートが、コンデンサのプレートを形成する、請求項１に記載の装置。
【請求項５】
前記プレートが、前記棒材の少なくとも３倍の幅を有する、請求項１に記載の装置。
【請求項６】
前記ヒンジが、板ばねである、請求項２に記載の装置。
【請求項７】
前記プレートを前記第２のタイプのヒンジに接続する１対の棒材を、前記プレートがさらに含む、請求項２に記載の装置。
【請求項８】
上面を有する基板と、
連動する第１のヒンジによって前記上面に回転可能にそれぞれが接合され、加熱されることに反応して屈曲するようにそれぞれが構成された、１つまたは複数の第１のバイモルフ棒材と、
連動する第２のヒンジによって前記上面に回転可能にそれぞれが接合され、前記１つまたは複数の第１の棒材のうち１つに実質的に不可動にそれぞれが固定された、１つまたは複数の第２の棒材と、
前記１つまたは複数の第１の棒材のうち１つに実質的に不可動に固定された第１のコンデンサ・プレートと、
前記第１のコンデンサ・プレートに面し、前記上面に不可動に固定された第２のコンデンサ・プレートと
を含む装置。
【請求項９】
前記１つまたは複数の第１のバイモルフ棒材が加熱されることに反応して、前記第１のコンデンサ・プレートが前記上面からさらに遠ざかるように、前記棒材が構成される、請求項８に記載の装置。
【請求項１０】
前記１つまたは複数の第１のヒンジが、前記１つまたは複数の第２のヒンジが回転する前記１つまたは複数の軸から異なる１つまたは複数の軸を中心に回転する、請求項８に記載の装置。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
金属板をプレス加工することにより、前記金属板から突出する中空の軸を形成する軸形成方法であって、
前記軸の外形と同一の内径を有する貫通穴が形成されているダイの、前記貫通穴の上面に、加工すべき前記金属板を乗せる準備工程と、
前記軸の内径と同一の外形を有するパンチで前記貫通穴の上面に支持されている前記金属板を前記貫通穴に押し込みながら、前記ダイの前記貫通穴の内部に予め設けられているノックアウトを前記パンチの先端と対向させた状態で、前記金属板に対して前記ノックアウトで背圧をかけることにより、前記パンチの先端に押される前記金属板を前記軸の側面に圧延するパンチ・鍛造工程と、
パンチおよびダイを用いて、前記軸の頂面の中心から放射状に形成される３以上の線状の切り込みを形成する打ち抜き工程と、
バーリングパンチおよびバーリングダイを用いて、前記切り込みにより画成される複数のセクター状の切片を押し曲げて、前記切片を前記軸の高さ方向に直立させる立ち上げ工程と、
曲げパンチおよび曲げダイを用いて、軸方向に直立する前記切片の先端部を前記軸に対して放射状に曲げ、前記切片に、前記頂面に対して直立する直立部と、前記直立部の先端から放射状に延在する水平部とを形成する曲げ工程と
を備える軸形成方法。
【請求項２】
前記準備工程において、前記ノックアウトを、前記金属板の板厚の１／３に相当する距離だけ前記貫通穴の上面よりも低い位置に待機させる、請求項１に記載の軸形成方法。
【請求項３】
前記水平部の先端部が、前記軸の側面を軸方向に延長して画成される領域の内側に位置する請求項１に記載の軸形成方法。
【請求項４】
前記曲げ工程が、前記直立部の先端部を９０°未満の中間角度まで曲げる中間曲げ工程と、前記先端部を９０°まで曲げて水平部とする最終曲げ工程とを更に備える請求項１に記載の軸形成方法。
【請求項５】
前記曲げ工程において、前記曲げダイの一部が、前記直立部に側方から当接して変形を防止する請求項１に記載の軸形成方法。
【請求項６】
前記曲げ工程において、前記軸の内側から前記頂面の裏面に曲げ受けを当接させ、前記頂面の変形を防止する請求項１に記載の軸形成方法。
【請求項７】
前記水平部および前記頂面の間隔が、前記直立部に装着されるＣリングの厚さに略等しい請求項１に記載の軸形成方法。
【請求項８】
軸の外形と同一の内径を有する貫通穴が形成されているダイの、前記貫通穴の上面に、加工すべき金属板を乗せる準備工程と、
前記軸の内径と同一の外形を有するパンチで前記貫通穴の上面に支持されている前記金属板を前記貫通穴に押し込みながら、前記ダイの前記貫通穴の内部に予め設けられているノックアウトを前記パンチの先端と対向させた状態で、前記金属板に対して前記ノックアウトで背圧をかけることにより、前記パンチの先端に押される前記金属板を前記軸の側面に圧延するパンチ・鍛造工程と、
パンチおよびダイを用いて、前記軸の頂面の中心から放射状に形成される３以上の線状の切り込みを形成する打ち抜き工程と、
バーリングパンチおよびバーリングダイを用いて、前記切り込みにより画成される複数のセクター状の切片を押し曲げて、前記切片を前記軸の高さ方向に直立させる立ち上げ工程と、
曲げパンチおよび曲げダイを用いて、軸方向に直立する前記切片の先端部を前記軸に対して放射状に曲げ、前記切片に、前記頂面に対して直立する直立部と、前記直立部の先端から放射状に延在する水平部とを形成する曲げ工程と
を備えるプレス加工により金属板を加工して形成された軸穴製品。
【手続補正２】
【補正対象書類名】明細書
【補正対象項目名】発明の名称
【補正方法】変更
【補正の内容】
【発明の名称】軸形成方法及び軸穴製品
【手続補正３】
【補正対象書類名】明細書
【補正対象項目名】０００１
【補正方法】変更
【補正の内容】
【０００１】
本発明は、金属板をプレス加工することにより、金属板から突出する中空の軸を形成する軸形成方法、及び、当該方法により形成される軸穴製品に関する。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
マイクロマシニング型の構成素子において、少なくとも所定の範囲で導電性である基板（１）と、弾性的に変位可能な、少なくとも所定の範囲で導電性であるダイヤフラム（Ｍ）とが設けられており、該ダイヤフラム（Ｍ）が、湾曲させられてかつ基板（１）から電気的に絶縁されて基板（１）の表面（Ｖ）の上方に設けられており、ダイヤフラム（Ｍ）が内側範囲（Ｉ´）と縁範囲（ＲＢ´）とを有しており、基板（１）とダイヤフラム（Ｍ）との間に空隙（Ｈ）が設けられており、ダイヤフラム（Ｍ）の内側範囲（Ｉ´）が、縁範囲（ＲＢ´）に対して変えられた横断面を有しており、これにより内側範囲（Ｉ´）の撓みが、同一横断面の場合に比べて減じられており、ダイヤフラム（Ｍ）の内側範囲（Ｉ´）が、縁範囲（ＲＢ´）に比べてスタンプ形に空隙（Ｈ）内へ懸吊された範囲（ＫＰ´）を有していることを特徴とする、マイクロマシニング型の構成素子。
【請求項２】
ダイヤフラム（Ｍ）の内側範囲（Ｉ´）が縁範囲（ＲＢ´）に比べて厚肉化されている、請求項１記載のマイクロマシニング型の構成素子。
【請求項３】
ダイヤフラム（Ｍ）の内側範囲（Ｉ´）が縁範囲（ＲＢ´）に比べて付加的な層（５ａ）を有している、請求項２記載のマイクロマシニング型の構成素子。
【請求項４】
空隙（Ｈ）が媒体で充填されており、ダイヤフラム（Ｍ）の下で基板（１）を貫いて延びる１つまたは複数のパーフォレーション開口（１５´´´）が設けられており、該パーフォレーション開口（１５´´´）が、基板（１）の裏面（Ｒ）から空隙（Ｈ）内へ通じた進入路を提供していて、空隙（Ｈ）内に存在する媒体の容量がダイヤフラム（Ｍ）の変位時に可変である、請求項１、２または３記載のマイクロマシニング型の構成素子。
【請求項５】
マイクロマシニング型の構成素子のための製造方法において、以下のステップ：
少なくとも所定の範囲で導電性である基板（１）を準備し；
弾性的に変位可能な、少なくとも所定の範囲で導電性であるダイヤフラム（Ｍ）を製造し、該ダイヤフラム（Ｍ）を、湾曲させてかつ基板（１）から電気的に絶縁させて基板（１）の表面（Ｖ）の上方に設け、ただし該ダイヤフラム（Ｍ）は内側範囲（Ｉ´）と縁範囲（ＲＢ´）とを有しており；
基板（１）とダイヤフラム（Ｍ）との間に空隙（Ｈ）を設け；
ダイヤフラム（Ｍ）の内側範囲（Ｉ´）が、縁範囲（ＲＢ´）に対して変えられた横断面を有し、これにより内側範囲（Ｉ´）の撓みが、同一横断面の場合に比べて減じられるようにダイヤフラム（Ｍ）を形成し、
しかもダイヤフラム（Ｍ）の内側範囲（Ｉ´）に、縁範囲（ＲＢ´）に比べてスタンプ形に空隙（Ｈ）内へ懸吊された範囲（ＫＰ´）を設ける；
を実施することを特徴とする、マイクロマシニング型の構成素子のための製造方法。
【請求項６】
ダイヤフラム（Ｍ）を、基板（１）上に設けられた犠牲層範囲（５；５，４０）の上方で、構造化された多数の層（２０，２５，３０；５ａ，２０，２５´，４５，５０）を設けることによって前成形し、引き続きダイヤフラム（Ｍ）に対して選択的なエッチングプロセスにより犠牲層範囲（５；５，４０）を除去する、請求項５記載の製造方法。
【請求項７】
犠牲層（５；５，４０）として、０．１〜０．８、有利には０．２〜０．５のＧｅ含量を有するＳｉＧｅを使用する、請求項５または６記載の製造方法。
【請求項８】
犠牲層エッチングのためのエッチングガスとして、ＣｌＦ３、ＣｌＦ５、ＸｅＦ２、ＢｒＦ３、ＩＦ３またはＩＦ５、有利にはＣｌＦ３を使用する、請求項５、６または７記載の製造方法。
【請求項９】
ＳｉＧｅ層とＳｉ層との間にエッチングストップおよび拡散バリヤとして酸化物層（１ａ）を被着させるか、または熱酸化により成長させる、請求項５から８までのいずれか１項記載の製造方法。
【請求項１０】
犠牲層範囲（５；５，４０）内のＧｅ含量を、熱により成長されたＳｉＧｅ酸化物層がＧｅを含有しないか、またはＧｅをほとんど含有しないように低く設定する、請求項７記載の製造方法。
【請求項１１】
犠牲層範囲（５；５，４０）内のＧｅ含量を、熱による酸化物層の成長速度がシリコン上での成長に比べて１．５〜１０倍だけ加速されて行われるように高く設定する、請求項７記載の製造方法。
【請求項１２】
犠牲層範囲（５；５，４０）内のＧｅ含量が０．３〜０．４ａｔ％である、請求項７記載の製造方法。
【請求項１３】
ダイヤフラム（Ｍ）の内側範囲（Ｉ）に、縁範囲（ＲＢ´）に比べて付加的な層（５ａ）を設ける、請求項６記載の製造方法。
【請求項１４】
空隙（Ｈ）を媒体で充填し、ダイヤフラム（Ｍ）の下で基板（１）を貫いて延びる１つまたは複数のパーフォレーション開口（１５´´´）を設け、この場合、該パーフォレーション開口（１５´´´）が、基板（１）の裏面（Ｒ）から空隙（Ｈ）内へ通じた進入路を提供して、空隙（Ｈ）内に存在する媒体の容量がダイヤフラム（Ｍ）の変位時に可変となる、請求項１３記載の製造方法。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
ｐＨに依存して呈色する色素と、光触媒酸化物である金属酸化物微粒子と、光触媒でない金属酸化物微粒子と、ｐＨ調整剤と、分散媒と、任意成分としてマトリックス成分とを含んでなり、前記色素の発色領域にｐＨが調整されてなる塗布液。
【請求項２】
前記色素は塩基性領域で発色して、中性領域で無色となる、請求項１に記載の塗布液。
【請求項３】
前記マトリックス成分が塗布液の固形分に対して０質量％以上５０質量％以下である、請求項１または２に記載の塗布液。
【請求項４】
前記光触媒酸化物が酸化チタンであることを特徴とする請求項１〜３のいずれか一項に記載の塗布液。
【請求項５】
前記光触媒でない金属酸化物微粒子がシリカであることを特徴とする請求項１〜４のいずれか一項に記載の塗布液。
【請求項６】
前記ｐＨ調整剤が揮発性であることを特徴とする請求項１〜５のいずれか一項に記載の塗布液。
【請求項７】
前記ｐＨ調整剤がアンモニア、トリエチルアミン、トリエタノールアミン、ジエタノールアミンより選択される少なくとも１種であることを特徴とする請求項１〜６のいずれか一項に記載の塗布液。
【手続補正２】
【補正対象書類名】明細書
【補正対象項目名】発明の名称
【補正方法】変更
【補正の内容】
【発明の名称】塗布液
【手続補正書】
【提出日】平成21年3月13日(2009.3.13)
【手続補正１】
【補正対象書類名】明細書
【補正対象項目名】００３３
【補正方法】変更
【補正の内容】
【００３３】
ここで図２に示すように、入力異常が前記第１の時間Ｔ１未満の時間Ｔで解消されれば、出力遅延回路３１は入力異常が一定時間継続したことを示す停止指令信号を送出しない。したがって、この場合には電源回路１４から整流回路１５を通して負荷１６に電力が供給され続け、負荷１６は短時間の入力異常で突然動作停止することはない。また、入力異常が前記第２の時間Ｔ２未満の時間Ｔで解消されれば、アラーム遅延回路３２はアラーム送出回路２３へのアラーム指令信号を送出せず、アラーム報知が行なわれない。
【手続補正書】
【提出日】平成20年12月18日(2008.12.18)
【手続補正１】
【補正対象書類名】明細書
【補正対象項目名】００１５
【補正方法】変更
【補正の内容】
【００１５】
上記何れかの雌螺孔３（上下方向螺孔）には螺杆４を外側（下側）から上記長孔案内ガイド８に沿って螺入するが、該螺杆４の外端（下端）に設けたネジ頭５と上記小片２との間に、スプリンクラーヘッド６の直立送水筒７の下端部（端部）に突設した横向突起７’を介挿し、該横向突起７’に穿設した透孔１０に上記螺杆４を挿通して該突起７’を上記小片２と上記ネジ頭５との間に挟持する。